(57)【要約】【課題】簡単な構成で空間を取らず、挿抜時にディスクへ損傷を与えることなく、電磁輻射妨害基準を満たすことができ、かつ、記録媒体のスムーズな挿抜動作を可能とする信号記録再生装置を提供する。【解決手段】ディスク状の記録媒体を挿入するための開口部を有するフロントパネル１０と、挿入された記録媒体を装置内部に誘導するインナーガイド１６と、導電性を有し、インナーガイド１６における記録媒体の通り道を遮蔽する導電シート１８とを備える。【選択図】        図１
2005056505.tif 000002
【特許請求の範囲】
【請求項１】
ディスク状の記録媒体を記録再生する信号記録再生装置であって、
前記記録媒体を挿入するためのディスク挿入口と、
前記記録媒体の通り道を形成する上辺と下辺とを有し、前記ディスク挿入口から挿入された前記記録媒体を装置内部に誘導するガイドと、
前記通り道の少なくとも一部を、前記記録媒体を通過自在に遮蔽するとともに、導電性を有し、前記通り道を形成する上辺と下辺とを電気的に導通させる導電シートとを備える
ことを特徴とする信号記録再生装置。
【請求項２】
前記導電シートは、Ｕ字状に曲折され、当該曲折部分が垂れ下がって前記ガイドの下辺に接触する円筒形状を成しており、前記記録媒体の通過時における押圧によって変形し、変形後に再び元の前記円筒形状に復元する柔軟性を有する
ことを特徴とする請求項１記載の信号記録再生装置。
【請求項３】
前記ガイドは、その表面にニッケルまたは銅メッキ加工が施されている
ことを特徴とする請求項１または２記載の信号記録再生装置。
【請求項４】
前記導電シートは、少なくとも、導電性を有する第１シートと、前記第１シートの形状を所定の形状に保持する第２シートとから構成される
ことを特徴とする請求項１〜３のいずれか１項に記載の信号記録再生装置。
【請求項５】
前記第１シートは、ナイロンに銀メッキを施した繊維で編まれたメッシュ状のシートである
ことを特徴とする請求項４記載の信号記録再生装置。
【請求項６】
前記第２シートは、井桁状に形成されたポリエチレンのシートである
ことを特徴とする請求項４または５記載の信号記録再生装置。
【発明の詳細な説明】
【技術分野】
【０００１】
本発明は、ＥＭＩ(Electro Magnetic Interference)、すなわち、電磁輻射妨害への対策を施した信号記録再生装置に関し、特に、記録媒体を挿抜する部分の構造に関する。
【背景技術】
【０００２】
近年、ＣＤ(Compact Disc)やＤＶＤ(Digital Versatile Disc)等の記録媒体の普及が著しく、これらの記録媒体に音楽や動画像等のコンテンツを記録したり、記録媒体に格納されているコンテンツを再生したりするＣＤプレイヤーやＤＶＤプレイヤー、ＤＶＤレコーダ等の信号記録再生装置が数多く市販されている。
【０００３】
図１２は、従来における信号記録再生装置の全体斜視図である。
従来の信号記録再生装置１００は、レイアウトの工夫やＥＭＩフィルタを組み込む等の輻射対策を施した回路を、アルミニウムベース等の金属製の筐体１０１で覆う構成になっている。この筐体１０１は、ＣＤ−ＲＯＭ等のディスクを挿入するための開口部１１１が形成されているフロントパネル１１０を正面に備える。また、筐体１０１は、装置内の熱を放熱するための最小限の放熱用孔１０２を側面や上面等に備え、装置外へ磁束が漏出することを防いでいる。
【０００４】
図１３は、従来における信号記録再生装置１００の正面部分の内部構成を示す図であり、図１４は、その断面図である。
【０００５】
信号記録再生装置１００の正面部分は、フロントパネル１１０、ディスクガイド１１３、シャッター１１４、フロントサブパネル１１５、インナーガイド１１６およびガイドアングル１１７の各部品を組み合せることにより構成されている。
【０００６】
フロントパネル１１０とフロントサブパネル１１５は、ネジ止めにより一体化され、ディスクガイド１１３は、フロントパネル１１０の背面側、すなわち装置内側に設けられた２箇所のフロントパネル凹部１１２に位置決めして取り付けられる。
【０００７】
シャッター１１４とインナーガイド１１６は、ディスクガイド１１３に設けられた８箇所のディスクガイド凸部１１３ａに位置決めして取り付けられ、スリット１１４ａが入れられたシャッター１１４は、ディスクガイド１１３とインナーガイド１１６に挟まれることになる。
【０００８】
そして、ガイドアングル１１７に設けられた８箇所の第２ガイドアングル孔１１７ｂとディスクガイド凸部１１３ａとを合わせ、また、ガイドアングル１１７に設けられた５箇所の第１ガイドアングル孔１１７ａをフロントサブパネル１１５に設けられた５箇所のフロントサブパネル凸部１１５ａに合わせてナット止めすることによって、ディスクガイド１１３、シャッター１１４およびインナーガイド１１６は、フロントサブパネル１１５に固定される。
【０００９】
このような構成を備えた従来における信号記録再生装置１００の正面部分にディスクが挿入される時の様子を図１５に示す。
図１５に示すように、ディスク１２０が装置内に挿入される（図１５に示す矢印Ｘ方向）際には、シャッター１１４のスリット１１４ａが装置内側へ押し広げられて、ディスク１２０が装置内に取り込まれるようになっている。また、ディスク１２０の抜出時には、装置内からディスク１２０がＸ方向の反対に向けて移動し、スリット１１４ａが装置外側へ押し広げられて、ディスク１２０が装置外に出されるようになっている。
【００１０】
このように、従来の信号記録再生装置１００は、その正面部分に長方形の大きな開口部１１１を備え、記録媒体であるディスク１２０の挿抜を可能としている。
【００１１】
しかし、この従来の信号記録再生装置１００では、正面部分に設けた開口部１１１から、その幅に合致する周波数の電磁波が漏出する問題がある。したがって、例えば、航空旅客機に搭載する場合に要求される電磁輻射妨害基準を満たすことができない等、従来の信号記録再生装置１００におけるＥＭＩ対策は不十分であるといえ、ＥＭＩ対策に関する技術が提案されている（例えば、特許文献１参照。）。
【００１２】
この特許文献１に開示されている技術は、アルミニウム板を傘状に成形し、表面に電磁波吸収性塗料を塗布して電磁波吸収層が形成されている本体と、本体の頂点側に形成された円形面に取り付けられ、磁石を備えた固定部とから構成される電磁波吸収具を、磁力によって筐体の換気口やディスク挿入口の中央部付近に取り付けることで、筐体から漏洩する、或いは筐体内に侵入しようとする電磁ノイズを吸収するというものである。
【特許文献１】特開平１１−２６１２７７号公報
【発明の開示】
【発明が解決しようとする課題】
【００１３】
しかしながら、上記の電磁波吸収具では、ディスクの挿入時および抜出時に電磁波吸収具を取り外して、また取り付けるというように、記録媒体の挿抜に手間がかかるという問題がある。
【００１４】
また、上記の電磁波吸収具は、筐体の開口部付近に突出することとなるので、航空旅客機等のように、信号記録再生装置の設置するスペースが限定される狭い空間で用いるのに不適である。
【００１５】
ここで、金属のように導電性のある扉を開口部に設けて遮断することも考えられるが、ディスクの挿抜時に扉がディスクに触れないように、扉を開閉するための複雑な駆動機構が必要であり、また、扉が移動する空間を確保しなければならず、上記電磁波吸収具と同様の問題がある。それだけでなく、開口部付近に金属製の扉等を設けると、ディスク挿抜時に信号記録面を傷つけてしまうおそれまでも生じさせてしまう。
【００１６】
そこで、本発明は、かかる問題点および実情に鑑みなされたものであり、簡単な構成で空間を取らず、挿抜時にディスクへ損傷を与えることなく、電磁輻射妨害基準を満たすことができ、かつ、記録媒体のスムーズな挿抜動作を可能とする信号記録再生装置を提供することを目的とする。
【課題を解決するための手段】
【００１７】
上記の目的を達成するために、本発明に係る信号記録再生装置は、ディスク状の記録媒体を記録再生する信号記録再生装置であって、前記記録媒体を挿入するためのディスク挿入口と、前記記録媒体の通り道を形成する上辺と下辺とを有し、前記ディスク挿入口から挿入された前記記録媒体を装置内部に誘導するガイドと、前記通り道の少なくとも一部を、前記記録媒体を通過自在に遮蔽するとともに、導電性を有し、前記通り道を形成する上辺と下辺とを電気的に導通させる導電シートとを備えることを特徴とする。これによって、装置外へ漏出しようとする電磁波を遮断するので、電磁輻射妨害を抑制することができる。
【００１８】
ここで、前記導電シートは、Ｕ字状に曲折され、当該曲折部分が垂れ下がって前記ガイドの下辺に接触する円筒形状を成しており、前記記録媒体の通過時における押圧によって変形し、変形後に再び元の前記円筒形状に復元する柔軟性を有することを特徴とする。これによって、導電シートは記録媒体の挿抜時に柔軟に形状が変形するので、スムーズな挿抜動作を実現することができる。
【００１９】
ここで、前記ガイドは、その表面にニッケルまたは銅メッキ加工が施されているのが好ましい。これによって、効率的に導電シートから装置内部への通電が図られるので、電磁波を装置内に封じ込めることができる。
【発明の効果】
【００２０】
以上のように、本発明によれば、簡易な構成によって、航空旅客機に搭載する場合に求められるような、厳しい電磁輻射妨害基準を満たすことができ、ＥＭＩ対策に優れた信号記録再生装置を実現することができる。また、装置外に突出して空間を必要としたり、挿抜時にディスクへ損傷を与えたりすることがなく、記録媒体のスムーズな挿抜動作を実現することができる。
【００２１】
よって、ＣＤプレイヤーやＤＶＤプレイヤー等の信号記録再生装置の普及が著しく、製品のＥＭＩ対策が求められている今日における本発明の実用的価値は極めて高いと言える。
【発明を実施するための最良の形態】
【００２２】
以下、本発明を実施するための最良の形態について詳細に説明する。
（実施の形態）
図１は、本発明の実施の形態に係る信号記録再生装置の正面部分を示す図である。
図１に示すように、本実施の形態に係る信号記録再生装置の正面部分は、装置内側において、一体化されたフロントパネル１０とフロントサブパネル１５に、インナーガイド１６とガイドアングル１７とが取り付けられることで構成されている。
【００２３】
そして、インナーガイド１６におけるディスクの通り道は、導電シート１８によって塞がれており、導電シート１８の端部が、プレート１９でガイドアングル１７に押し付けられた状態で、止め具２０によって固定されている。
【００２４】
図２を用いて、この信号記録再生装置の正面部分をより詳しく説明する。
図２は、信号記録再生装置の正面部分の構成部品を示す図である。
フロントパネル１０は、信号記録再生装置の正面となるパネル部材であり、操作ボタン等の他に、開口部１１とフロントパネル凹部１２とを備える。
ディスクガイド１３は、ディスクの挿入口となる部材であり、フロントパネル凹部１２に位置決めして、フロントパネル１０の開口部１１に嵌め合わされる。
【００２５】
シャッター１４は、ディスクガイド１３と貼り合わされ、ディスク挿入口の防塵を図るものであり、水平方向にスリットが入れられており、ディスクの挿抜時に、ディスクによって装置内側または装置外側方向へ押し広げられるようになっている。
フロントサブパネル１５は、フロントパネル１０とネジ止めにより一体化される部材であり、信号記録再生装置の正面部分を構成する各部品を有機的に連結させる。
【００２６】
インナーガイド１６は、ディスクを装置内の記録面読取部に誘導する部材であり、ＡＢＳ(Acrylonitrile Butadiene Styrene)樹脂にニッケルメッキまたは銅メッキを施すことによって形成される。
ガイドアングル１７は、フロントサブパネル１５に取り付けられることによって、インナーガイド１６を固定する部材である。
【００２７】
導電シート１８は、導電性を有する薄板状の部材であり、一方の端部がインナーガイド１６の上端側のガイドアングル１７とプレート１９とによって挟持され、他方の端部がインナーガイド１６の上端側のディスクガイド１３およびシャッター１４と、インナーガイド１６とによって挟持されることで、円筒形状を成してインナーガイド１６におけるディスクの通り道を電気的に塞ぎ、装置内部から漏出しようとする電磁波を遮断する。この導電シート１８の縦の長さは、導電シート１８が円筒形状を成した時にインナーガイド１６の上下面にそれぞれ接触するような長さ、例えば、１．８インチ程度に設定される。また、導電シート１８の横の長さは、ディスク挿入口の幅方向中心を塞ぐことができる長さであればよく、３インチ程度としてもよいし、ディスク挿入口の幅全体を塞ぐ長さにしてもよい。
なお、導電シート１８の構成については、後に詳しく説明する。
【００２８】
プレート１９は、導電シート１８の一方の端部をガイドアングル１７に押さえ付けるための金属性の板状部材である。
止め具２０は、導電シート１８を押さえ付けた状態でプレート１９を固定するためのワッシャーやナット等である。
【００２９】
図３は、導電シート１８の構成を示す図である。
この導電シート１８は、メッシュシート１８ａと、支持シート１８ｂと、補強シート１８ｃとを両面接着テープ１８ｄによって貼り合わせることによって形成される。
【００３０】
メッシュシート１８ａは、ナイロンベースに銀繊維を織り込んだメッシュ状のシートであり、導電性を有しており、自在にその形状を変えることができる柔軟性を有する。
支持シート１８ｂは、メッシュシート１８ａを一定の形状に維持するための薄いポリエチレンシート（例えば、厚さ０．０５ｍｍ）であり、図に示すように井桁状に形成されている。
補強シート１８ｃは、ガイドアングル１７に押さえ付けられる箇所を補強するための薄いポリエチレンシートである。
【００３１】
両面接着テープ１８ｄは、メッシュシート１８ａと支持シート１８ｂとを、また、メッシュシート１８ａと補強シート１８ｃとを、上端部および下端部でそれぞれ貼り合わせるテープである。このように、両面接着テープ１８ｄを上下の両端部にのみ用いて中央部を貼り合わせずに導電シート１８を構成することによって、メッシュシート１８ａは、支持シート１８ｂに束縛されないで動くことができるようになり、また、メッシュシート１８ａの網目から両面接着テープ１８ｄの糊面が外側に出て、ディスクに付着することを防ぐことができる。
【００３２】
また、導電シート１８を構成するシートおよびテープの上下端の中央部には、インナーガイド１６およびガイドアングル１７に取り付けるための孔が設けられている。
【００３３】
なお、以下の説明では、このように構成される導電シート１８の支持シート１８ｂ側を表面とし、補強シート１８ｃ側を裏面ということとする。
【００３４】
次に、このように構成される信号記録再生装置の正面部分を組み立てる手順について説明する。
図４は、正面部分の組み立て第１工程を説明するための図である。
まず、ディスクガイド１３とシャッター１４とインナーガイド１６とを一体化する際に、インナーガイド１６のディスク通り道に導電シート１８を挿入する。
【００３５】
このとき、導電シート１８を、メッシュシート１８ａがディスク接触面となるように、すなわち、導電シート１８の表面を上に、導電シート１８の裏面を下にして、インナーガイド１６のディスク通り道に挿入する。
【００３６】
そして、挿入した導電シート１８を上方へ湾曲させて、導電シート１８の下端部に設けられた孔をディスクガイド１３の凸部に位置合わせすることで、導電シート１８をディスクガイド１３の長手方向中央部に取り付ける。
【００３７】
図５は、正面部分の組み立て第２工程を説明するための図である。
次に、このようにして一体化したディスクガイド１３、シャッター１４、インナーガイド１６および導電シート１８を、ネジ止めにより一体化したフロントパネル１０およびフロントサブパネル１５に取り付ける。
【００３８】
このとき、フロントパネル１０のフロントパネル凹部１２にディスクガイド１３を位置決めして取り付け、フロントパネル１０の開口部１１に、一体化したディスクガイド１３、シャッター１４、インナーガイド１６および導電シート１８を嵌め合わせる。
【００３９】
その後、導電シート１８の上端側をガイドアングル１７に通して、ガイドアングル１７をフロントサブパネル１５に取り付け、一体化したディスクガイド１３、シャッター１４、インナーガイド１６および導電シート１８をガイドアングル１７とフロントサブパネル１５とによって挟持させる。
【００４０】
図６は、正面部分の組み立て第３工程を説明するための図である。
続いて、一体化したディスクガイド１３、シャッター１４、インナーガイド１６および導電シート１８をガイドアングル１７とフロントサブパネル１５とで挟持させた状態で、導電シート１８の上端側を、上方へ、すなわち図中の矢印方向へ湾曲させて、導電シート１８の上端部に設けられた孔をフロントサブパネル１５の凸部に嵌め合わせる。
【００４１】
図７は、正面部分の組み立て第４工程を説明するための図である。
最後に、導電シート１８の上端部にプレート１９を押し付けて止め具２０を締め付けることにより、導電シート１８をプレート１９とガイドアングル１７とで挟持させた状態で固定する。また、このとき、ガイドアングル１７の下部も止め具２０を締め付けることによってフロントサブパネル１５に固定する。
【００４２】
図８の左方に示すのは、正面部分を組み立てる前の各構成部品の位置関係を示す図である。そして、図８の右方に示すのは、上記の手順を経て組み立てられた信号記録再生装置の正面部分の側方断面図である。
【００４３】
このように、導電シート１８の上端部をガイドアングル１７とプレート１９とによって挟持し、導電シート１８の下端部をディスクガイド１３およびシャッター１４と、インナーガイド１６とによって挟持することで、導電シート１８をＵ字状に曲折させ、曲折部分を垂れ下げてインナーガイド１６の下辺に接触する円筒形状にして、開口部１１の装置内側中央部に配置する。
【００４４】
このとき、導電シート１８の縦の長さは、導電シート１８がインナーガイド１６の上下辺にそれぞれ接触するように設定されており、この導電シート１８でインナーガイド１６の上辺と下辺を電気的に導通させることによって、インナーガイド１６におけるディスクの通り道、すなわち、ディスク挿入口の中心部を遮断するようになっているので、ディスクが装置内に取り込まれ、記録再生動作が開始された際に、装置内部から電磁波が外部へ漏出するのを防ぐことができる。
【００４５】
続いて、このように構成された信号記録再生装置の正面部分のディスク挿抜時における動作について説明する。
【００４６】
図９は、ディスク挿入時における導電シート１８の動きを説明するための図である。
まず、ディスク３０がＡ方向に挿入されると、シャッター１４に入れられたスリットがディスク３０によって装置内側に押し広げられ、ディスク３０が装置内に取り込まれる。そして、二重破線で示す導電シート１８が、ディスク３０に押されて、Ｂ方向に向かって柔軟に実線で示す形状に変形するので、ディスク３０は、インナーガイド１６を通って装置内部に誘導される。このとき、導電シート１８は、ディスク３０の上面のみ、すなわち、ディスク３０の信号記録面でないラベル面のみに面接触することとなるので、導電シート１８の端部が接触してディスク３０を傷つけることがない。
【００４７】
その後、導電シート１８は、ディスク３０が装置内の記録面読取部に誘導されてディスク３０との接触が終わると、再び二重破線で示す形状に変形してディスク挿入口を遮断し、電磁波が漏れるのを防ぐ。
【００４８】
図１０は、ディスク抜出時における導電シートの動きを説明するための図である。
逆にディスク３０が装置内部からＣ方向に排出される時には、二重破線で示す導電シート１８は、ディスク３０によってＤ方向に押されてＤ方向へ僅かに変形するものの、支持シート１８ｂの弾性により円筒形状を維持した状態で、Ｅ方向に向かって柔軟に実線で示す形状に変形するので、ディスク３０を抜出する際に負荷がかからない。
【００４９】
また、導電シート１８は、支持シート１８ｂによって円筒形状に維持されており、ディスク排出時にＥ方向に変形するので、導電シート１８のＤ方向の変形が抑えられて、ディスク３０の排出とともにディスク３０との摩擦で引っ張られて外部に露出することがない。
【００５０】
このように、本実施の形態に係る信号記録再生装置によれば、記録再生時に、導電性を有する導電シート１８を円筒形状にして、ディスク挿入口を遮断するので、電磁波が装置外へ漏出するのを防ぐことができる。これに併せて、インナーガイド１６もニッケルメッキ等が施されているので、導電シート１８からの通電を効率的に図ることができ、電磁波を装置内に封じ込めることができる。
【００５１】
また、導電シート１８は、柔軟性と導電性とを有するメッシュシート１８ａや、一定の形状を維持する支持シート１８ｂ等から構成され、柔軟に形状が変形するので、ディスクの挿入および排出の際に負荷がかからず、スムーズな挿抜動作を実現することできる。
さらに、この信号記録再生装置は、従来の信号記録再生装置を大幅に仕様変更することなく導入することができるので、コスト的にも有用である。
【００５２】
以上、本発明に係る信号記録再生装置について実施の形態に基づき説明したが、本発明は、この実施の形態に限定されるものではない。
【００５３】
例えば、上記実施の形態では、導電シート１８を構成するメッシュシート１８ａについて、ナイロンに銀メッキを施した繊維で編まれたものを用いているが、柔軟性と導電性とを兼ね備えた他の材質で形成してもよい。同様に、支持シート１８ｂについても、薄いポリエチレンシートではなく、メッシュシート１８ａを一定の形状に維持することができる他の材質で形成してもよい。
【００５４】
また、インナーガイド１６は、ＡＢＳ樹脂にニッケルメッキ等を施して形成しているが、上記のような表面に導電性を持たせる処理を施すこととしてもよいし、インナーガイド１６自体を、金属などの導電性を有する材料で形成することにしてもよい。
【００５５】
さらに、上記実施の形態における各構成部品の配置は、導電シート１８のディスク挿抜時における動作を実現することができる例示に過ぎないことは、言うまでもない。
【００５６】
（試験例）
本発明の効果を確認するために、本発明に係る信号記録再生装置と、従来における信号記録再生装置とを用いて、電磁輻射妨害基準の測定試験を行なった。
【００５７】
この測定試験は、両者の１ＧＨｚ〜３ＧＨｚ帯域における電磁輻射を測定して、厳しいレベルが求められる航空機搭載用の電磁輻射妨害基準をクリアできるか否かを比較することにより行なった。その結果を図１１に示す。なお、図中の実線は、測定値を示し、図中の破線は、基準値を示す。
【００５８】
図１１（ａ）は、従来における信号記録再生装置の測定結果を示す図であり、図１１（ｂ）は、本発明に係る信号記録再生装置の測定結果を示す図である。
図１１（ａ）に示すように、従来における信号記録再生装置によれば、１ＧＨｚ付近で、基準値を超える電磁輻射の発生が確認された。特に、１．０５３ＧＨｚにおいて、大きく基準値を超える電磁輻射の発生が確認された。これは、１．０５３ＧＨｚの半波長（ｖ＝ｆλから１４２ｍｍ）が、信号記録再生装置のディスク挿入口の横幅（例えば１４４ｍｍ）と略一致しており、これによって共振が発生し、大きな磁流が流れて電磁波が放射され、ディスク挿入口がスロットアンテナとして働くことになるからと考えられる。
【００５９】
これに対して、図１１（ｂ）に示すように、本発明に係る信号記録再生装置によれば、基準値を超える電磁輻射の発生が確認されず、従来における信号記録再生装置において顕著であった１ＧＨｚ付近における電磁輻射の発生を大幅に抑えられることが明らかである。
【００６０】
また、本発明に係る信号記録再生装置について、ディスク挿抜試験を行なった。このディスク挿抜試験は、ディスクを装置内に挿入して抜出する動作を６万回繰り返して行なった。この６万回とは、使用頻度の平均から算出すると、およそ１０年間の使用に該当する数値である。その結果、導電シート１８の表面の剥離や、導電シート１８の破れ等は生じず、上記の測定試験で明らかにした電磁輻射妨害性能が、劣化することもなく、本発明に係る信号記録再生装置は、十分な耐久性を備えていることがわかった。
【産業上の利用可能性】
【００６１】
本発明に係る信号記録再生装置は、ＣＤプレイヤーやＤＶＤプレイヤー等に適用することができ、厳しい電磁輻射妨害基準が求められる航空機搭載用のＣＤプレイヤーやＤＶＤプレイヤー等に好適である。
【図面の簡単な説明】
【００６２】
【図１】本発明の実施の形態に係る信号記録再生装置の正面部分を示す図である。
【図２】信号記録再生装置の正面部分の構成部品を示す図である。
【図３】導電シートの構成を示す図である。
【図４】正面部分の組み立て第１工程を説明するための図である。
【図５】正面部分の組み立て第２工程を説明するための図である。
【図６】正面部分の組み立て第３工程を説明するための図である。
【図７】正面部分の組み立て第４工程を説明するための図である。
【図８】正面部分の側方断面図である。
【図９】ディスク挿入時における導電シートの動きを説明するための図である。
【図１０】ディスク抜出時における導電シートの動きを説明するための図である。
【図１１】本発明に係る信号記録再生装置と従来における信号記録再生装置の電磁輻射妨害基準の測定結果を示す図である。
【図１２】従来における信号記録再生装置の全体構成を示す図である。
【図１３】従来における信号記録再生装置の正面部分の内部構成を示す図である。
【図１４】従来における信号記録再生装置の正面部分の内部構成を示す断面図である。
【図１５】従来における信号記録再生装置のディスク挿入時の様子を示す図である。
【符号の説明】
【００６３】
１０、１１０    フロントパネル
１１、１１１    開口部
１２、１１２    フロントパネル凹部
１３、１１３    ディスクガイド
１４、１１４    シャッター
１５、１１５    フロントサブパネル
１６、１１６    インナーガイド
１７、１１７    ガイドアングル
１８    導電シート
１８ａ    メッシュシート
１８ｂ    支持シート
１８ｃ    補強シート
１８ｄ    両面接着テープ
１９    プレート
２０    止め具
３０、１２０    ディスク
１００    信号記録再生装置
１０１    筐体
１０２    放熱用孔
１１３ａ    ディスクガイド凸部
１１４ａ    スリット
１１５ａ    フロントサブパネル凸部
１１７ａ    第１ガイドアングル孔
１１７ｂ    第２ガイドアングル孔  
【図１】
2005056505.tif 000003
【図２】
2005056505.tif 000004
【図３】
2005056505.tif 000005
【図４】
2005056505.tif 000006
【図５】
2005056505.tif 000007
【図６】
2005056505.tif 000008
【図７】
2005056505.tif 000009
【図８】
2005056505.tif 000010
【図９】
2005056505.tif 000011
【図１０】
2005056505.tif 000012
【図１１】
2005056505.tif 000013
【図１２】
2005056505.tif 000014
【図１３】
2005056505.tif 000015
【図１４】
2005056505.tif 000016
【図１５】
2005056505.tif 000017